(57)【要約】【課題】解体しやすい額縁構造を備えた包装箱を提供する。【解決手段】内端板１３（内板）と外端板５ａ（外板）からなる額縁構造を有する端壁と、端壁の内端板１３および外端板５ａの間に挿入される側板３ａ，ｂ（側壁）の一端に連設された内ヒレ片６ａ，ｂとを備える包装箱１において、内ヒレ片６ａ，ｂに、第１折目線７ａ，ｂおよび第２折目線８ａ，ｂを形成し、第１折目線７ａ，ｂは、内ヒレ片６ａ，ｂ下端に一端を有するとともに折目線３０ａ，ｂに他端を有し、一方、第２折目線８ａ，ｂは、内ヒレ片６ａ，ｂ上端に一端を有するとともに折目線３０ａ，ｂに他端を有し、また第１折目線７ａ，ｂと第２折目線８ａ，ｂは、折目線３０ａ，ｂにおいて交わり、側板３ａ，ｂに、交点９ａ，ｂに一端を有し、側板３ａ，ｂ上端に他端を有する第３折目線１０ａ，ｂを形成した。【選択図】　図１
2004067209.tif 000002
【特許請求の範囲】
【請求項１】
内板と外板からなる額縁構造を有する端壁と、該端壁の前記内板および前記外板の間に挿入される側壁の一端に連設された内ヒレ片とを備える包装箱において、
前記内ヒレ片に、第１折目線および第２折目線を形成し、前記第１折目線は、前記内ヒレ片下端に一端を有するとともに前記内ヒレ片と前記側壁の折目線に他端を有し、一方、前記第２折目線は、前記内ヒレ片上端に一端を有するとともに前記内ヒレ片と前記側壁の折目線に他端を有し、また前記第１折目線と前記第２折目線は、前記内ヒレ片と前記側壁の折目線において交わり、
前記側壁に、前記第１折目線と前記第２折目線の交点に一端を有し、前記側壁上端に他端を有する第３折目線を形成したことを特徴とする包装箱。
【請求項２】
内板と外板からなる額縁構造を有する対向する２つの側壁および一方の端壁と、他方の端壁の両側に連設された内ヒレ片とを備え、前記側壁の内板と外板は、前記一方の端壁の内板と外板の両側にそれぞれ連設されており、前記内ヒレ片は、前記他方の端壁を立ち上げたときに前記側壁の前記内板および前記外板の間に挿入される包装箱において、
前記内ヒレ片は、前記包装箱の底板の両側に連接された第１折畳み片と、前記他方の端壁の両側に連設された第２折畳み片と、前記第１折畳み片の前記第２折畳み片と隣接する側の一端に連接された第３折畳み片とからなり、前記第２折畳み片と前記第３折畳み片は、折目線を介して一体であることを特徴とする包装箱。
【発明の詳細な説明】
【０００１】
【発明の属する技術分野】
本発明は、包装箱に関するものである。
【０００２】
【従来の技術】
従来の包装箱として、端壁または側壁に額縁構造を備え、内部に収容した収容物を保護する包装箱がある。前記額縁構造を形成する際、包装箱の底板から端壁または側壁の外板を垂直方向に立ち上げ、この外板と連設された端壁または側壁の内板を内側に折り返して前記端壁または側壁の外板に沿って配置するようになっている。また、前記内板の前記外板が連設されている一端とは反対側の一端（下端）には、係止片が形成されており、一方、前記底板には係止穴が形成されている。そして、この内板の係止片の先端を係止穴に嵌合させて係止穴が係止片を係止することにより、内板は固定されている。
【０００３】
また、従来の包装箱として、包装箱の端壁および側壁を垂直方向に立ち上げ、これらの端壁および側壁を糊付け片などにより互いに貼着することにより端壁および側壁を固定したものがある。
【０００４】
前記包装箱では、不要になった前記包装箱を廃棄または古紙回収する場合、前記額縁構造を解体して前記包装箱を平たく折り畳んだ状態にする。そして、複数の包装箱を重ねて運搬または保管する。
【０００５】
【発明が解決しようとする課題】
しかしながら、前記包装箱では、額縁構造を解体する際、ユーザの指先を固定された内板の下端部に係合させて内板を開く必要がある。このとき、内板は、係止された係止片を係止穴から解放する必要があるので解体作業が煩わしく、また内板下端部が破損するという問題があった。
【０００６】
また、前記包装箱では、包装箱を解体する際、端壁および側壁を互いに貼着する糊付け片を外す必要があり、解体作業が煩わしいという問題があった。
【０００７】
そこで、本発明は、解体しやすい包装箱を提供することを課題とする。
【０００８】
【課題を解決するための手段】
本発明は、前記課題を解決するための手段として、
内板と外板からなる額縁構造を有する端壁と、該端壁の前記内板および前記外板の間に挿入される側壁の一端に連設された内ヒレ片とを備える包装箱において、
前記内ヒレ片に、第１折目線および第２折目線を形成し、前記第１折目線は、前記内ヒレ片下端に一端を有するとともに前記内ヒレ片と前記側壁の折目線に他端を有し、一方、前記第２折目線は、前記内ヒレ片上端に一端を有するとともに前記内ヒレ片と前記側壁の折目線に他端を有し、また前記第１折目線と前記第２折目線は、前記内ヒレ片と前記側壁の折目線において交わり、
前記側壁に、前記第１折目線と前記第２折目線の交点に一端を有し、前記側壁上端に他端を有する第３折目線を形成したものである。
【０００９】
前記発明では、包装箱の額縁構造を有する端壁の上部中央部分を外方に向かって押し広げると、内ヒレ片は、内ヒレ片の先端部上端に外方に向かう押圧力が付与されて、内ヒレ片の第１折目線が谷折れし、内ヒレ片の第２折目線が山折れし、および側板の第３折目線が山折れすることにより捻られる。これにより、内ヒレ片の先端部下端が内板下端を包装箱の内方に向かって押し出すので、容易に額縁構造を有する端壁を解体することができる。
【００１０】
前記課題を解決するための他の手段として、本発明は、
内板と外板からなる額縁構造を有する対向する２つの側壁および一方の端壁と、他方の端壁の両側に連設された内ヒレ片とを備え、前記側壁の内板と外板は、前記一方の端壁の内板と外板の両側にそれぞれ連設されており、前記内ヒレ片は、前記他方の端壁を立ち上げたときに前記側壁の前記内板および前記外板の間に挿入される包装箱において、
前記内ヒレ片は、前記包装箱の底板の両側に連接された第１折畳み片と、前記他方の端壁の両側に連設された第２折畳み片と、前記第１折畳み片の前記第２折畳み片と隣接する側の一端に連接された第３折畳み片とからなり、前記第２折畳み片と前記第３折畳み片は、折目線を介して一体であるものである。
【００１１】
前記発明では、包装箱の他方の端壁および第１折畳み片を垂直方向に立ち上げると、第２折畳み片および第３折畳み片は、第１折畳み片と重ね合わされるようにそれぞれ折り畳まれ、３層構造を形成する。一方、側壁の額縁構造を形成する外板と内板の間に挿入された第１、第２および第３折畳み片が露出されると、３層に折り畳まれていた折畳み片がそれぞれ開いた状態になり、第１折畳み片および他方の端壁が水平方向に向かって倒れる。これにより、包装箱を容易に解体することができる。
【００１２】
【発明の実施の形態】
以下、本発明の実施の形態を添付図面にしたがって説明する。
【００１３】
図１は、本発明の第１実施形態に係る包装箱１の展開図であって、包装箱１は両面段ボールからなる。包装箱１は、底板２の両側に、側板３ａ，ｂと桟４ａ，ｂが折目線を介して順に連設され、一方、前記底板２の両端に、外端板５ａ，ｂが折目線を介して連接されている。
【００１４】
前記側板３ａ，ｂの一端には、内ヒレ片６ａ，ｂがそれぞれ折目線３０ａ，ｂを介して設けられている。この内ヒレ片６ａ，ｂには、前記内ヒレ片６ａ，ｂ下端に一端を有し、前記折目線３０ａ，ｂに他端を有する第１折目線７ａ，ｂと、前記内ヒレ片６ａ，ｂ上端に一端を有し、前記折目線３０ａ，ｂに他端を有する第２折目線８ａ，ｂとが形成されている。この第１折目線７ａ，ｂと第２折目線８ａ，ｂとは、それぞれ前記折目線３０ａ，ｂ上の交点９ａ，ｂにおいて互いに交わっている。前記第１折目線７ａ，ｂは、内ヒレ片６ａ，ｂを半切り加工して形成されることが好ましい。これにより、後述するように内ヒレ片６ａ，ｂを捻りやすくなる、または折り曲げやすくなる。また、前記側板３ａ，ｂには、前記交点９ａ，ｂに一端を有し、側板３ａ，ｂ上端に他端を有する第３折目線１０ａ，ｂがそれぞれ形成されている。前記第２折目線８ａ，ｂおよび第３折目線１０ａ，ｂは、押罫線であることが好ましい。前記第１折目線７ａ，ｂおよび前記第３折目線１０ａ，ｂは、直線上に形成されていることが好ましい。前記折目線３０ａ，ｂ上の交点９ａ，ｂの位置には、折目線３０ａ，ｂ方向に伸張方向を有するスリットまたは穴が形成されている。また、前記側板３ａ，ｂの前記内ヒレ片６ａ，ｂが連設されている一端とは反対側の一端の下端部から側板３ａ，ｂ上端に向かって折り畳み線１１ａ，ｂがそれぞれ形成されている。
【００１５】
前記桟４ａ，ｂには、前記第３折目線１０ａ，ｂおよび前記折り畳み線１１ａ，ｂが伸張する折目線または折り畳み線がそれぞれ形成されている。
【００１６】
前記外端板５ａの底板２が連設されている一端とは反対側の一端には、頂板１２および内端板１３が順に連設されている。前記内端板１３の中央部には、内端板１３下端から内端板１３上端に向かう折目線１３ａが形成されている。また、前記外端板５ａ、頂板１２および内端板１３に、図１中において略逆Ｕ字形状の切目線１４を施すことにより舌片１５が形成されている。前記内端板１３の頂板１２が連設されている一端とは反対側の一端には、係止片１６ａ，ｂが形成されている。また、内端板１３の下端両側は、下端に向かって幅広に形成されている。また、前記底板２と前記外端板５ａの折目線３１上には、前記係止片１６ａ，ｂの先端がそれぞれ嵌合し、係止片１６ａ，ｂを係止する係止穴１７ａ，ｂが形成されている。
【００１７】
前記外端板５ｂの両側には、それぞれ糊付け片１８ａ，ｂが設けられており、該糊付け片１８ａ，ｂは、隣接する前記側板３ａ，ｂの折り畳み線１１ａ，ｂ上方部分とそれぞれ貼着されている。前記外端板５ｂの底板２が連設されている一端とは反対側の一端には、上板１９および係合片２０が順に連設されている。前記上板１９と係合片２０の折目線３２上には切目線２１が施されており、前記係合片２０を折目線３２を折目にして山折りすると、前記舌片１５の先端部が差し込まれる差込穴を形成するようになっている。また、前記折目線３２の中央部には、半円形状の切目線２２が施され、係止穴２３が形成されており、これによりユーザの指先を係止穴２３に係合させることによりユーザが包装箱１を開封し易いようになっている。
【００１８】
この包装箱１の組み立て作業は、まず、図２に示すように、側板３ａ，ｂおよび外端板５ｂを立ち上げ、側壁および一方の端壁を形成する。次に、内ヒレ片６ａ，ｂを折目線３０ａ，ｂを介して折り返した状態で、矢印Ａで示すように、外端板５ａを立ち上げる。続いて、図３において矢印Ｂで示すように、内端板１３と外端板５ａの間の２つの折目線で山折りして内端板１３を外端板５ａに沿って配置して額縁構造を有する他方の端壁を形成する。このとき、内端板１３の下端部両端は、幅広に形成されているのでそれぞれ側板３ａ，ｂ内面により係止されるとともに、係止片１６ａ，ｂは、それぞれ係止穴１７ａ，ｂに嵌合することにより内端板１３を係止する。
【００１９】
そして、包装箱１の内側に収容物を収容した後で、図３において矢印Ｃで示すように、桟４ａ，ｂを水平方向に折り曲げる。係合片２０を折目線３２を折目にして山折りした状態で上板１９を水平方向に折り曲げて、上板１９を桟４ａ，ｂに上方から重ね合わせる。このとき、係合片２０は、内端板１３上部内面により係合される。そして、切目線１４から切り離した舌片１５を山折りした状態で、舌片１５の先端部を切目線２１により形成された差込穴に差し込む。これにより、上板１９は舌片１５により係止され包装箱１の封緘が完了する。ユーザは、包装箱１の収容物を取り出す場合、ユーザの指先を上板１９の係止穴２３に係合させて上板１９を上方に持ち上げることにより開封する。
【００２０】
次に、前記構成からなる包装箱１を解体する場合について説明する。
【００２１】
包装箱１を開封した状態から桟４ａ，ｂを垂直方向に立ち上げた後で、図４に示すように、包装箱１の端壁の上部中央部分を外方に向かって押し広げる。このとき、内端板１３の中央部に折目線１３ａが形成されているので、端壁の上部中央部分を外方に向かって押し広げる作業性がよい。
【００２２】
その結果、内ヒレ片６ａ，ｂは、内ヒレ片６ａ，ｂの先端部上端に外方に向かう押圧力が付与されて、内ヒレ片６ａ，ｂの第１折目線７ａ，ｂが山折れし、内ヒレ片６ａ，ｂの第２折目線８ａ，ｂが谷折れし、および側板３ａ，ｂの第３折目線１０ａ，ｂが谷折れすることにより、内ヒレ片６ａ，ｂは捻られる。このとき、交点９ａ，ｂの位置には、折目線３０ａ，ｂ方向に伸張方向を有するスリットまたは穴が形成されているので、内ヒレ片６ａ，ｂは捻れやすくなっている。以上のように、内ヒレ片６ａ，ｂが捻られると、内ヒレ片６ａ，ｂの先端部下端が内端板１３下端を包装箱１の内方に向かって押し出す。その結果、側板３ａ，ｂ内面に係止されていた内端板１３が解放され、ユーザは容易に額縁構造を有する端壁を解体することができる。このとき、係止穴１７ａ，ｂに係止されていた係止片１６ａ，ｂは、係止穴１７ａ，ｂから解放されるので、ユーザは容易に額縁構造を有する端壁を解体することができる。
【００２３】
そして、図５に示すように、内ヒレ片６ａ，ｂを側板３ａ，ｂに沿うように折り曲げた状態で、上板１９を水平方向に折り曲げて、図６に示すように、包装箱１を平たく折り畳む。ユーザは、不要になった包装箱１を古紙回収する場合、または保管する場合、このように折り畳んだ状態の包装箱１を重ね合わせることにより、全体の容積がかさばらないので、運搬または保管スペースが少なくて済む。
【００２４】
次に、他の実施形態について説明するが、前記第１実施形態と同様である部分は、同一符号を付して詳細な説明は省略する。
【００２５】
図７は、本発明の第２実施形態に係る包装箱４０の展開図であって、包装箱４０は両面段ボールからなる。この包装箱４０は、プリンタなどに用いられる約１ｍの長さを有するトナーカートリッジを収容するためのものである。包装箱４０は、底板４１の両側に、内ヒレ片を構成する折畳み片４２ａ，ｂ（第１折畳み片）が折目線を介して連設され、一方、前記底板４１の両端に、外端板４３ａ，ｂが折目線を介して連接されている。
【００２６】
前記外端板４３ａの底板４１が連設されている一端とは反対側の一端には、頂板４４および内端板４５が順に連設されている。
【００２７】
前記外端板４３ｂの底板４１が連設されている一端とは反対側の一端には、包装箱４０の蓋体を構成する上板４６、蓋体外端板４７、頂板４８および蓋体内端板４９が順に連設されている。
【００２８】
前記外端板４３ａの両側には、それぞれ折目線を介して外側板５０ａ，ｂが設けられている。この外側板５０ａ，ｂには、後述するように包装箱４０を解体する際にユーザの指先を係合させるための切り欠き部５１ａ，ｂが形成されている。前記内端板４５の両側には、それぞれ２つの折目線を介して内側板５２ａ，ｂが設けられており、この内端板４５と内側板５２ａ，ｂの間には、逃がし穴５３ａ，ｂがそれぞれ形成されている。また、外側板５０ａ，ｂと内側板５２ａ，ｂとの間には、包装箱４０の側壁の頂板５４ａ，ｂがそれぞれ設けられている。
【００２９】
前記外端板４３ｂの両側には、折畳み片４２ｃ，ｄ（第２折畳み片）が折目線を介して連設され、前記折畳み片４２ａ，ｂ（第１折畳み片）と折畳み片４２ｃ，ｄ（第２折畳み片）の間には、折畳み片４２ａ，ｂ（第１折畳み片）の折畳み片４２ｃ，ｄ（第２折畳み片）と隣接する側の一端に連設され、かつ折畳み片４２ｃ，ｄ（第２折畳み片）と折目線を介して一体である折畳み片４２ｅ，ｆ（第３折畳み片）がそれぞれ設けられている。これら折畳み片４２ａ，ｃ，ｅまたは折畳み片４２ｂ，ｄ，ｆは、後述するように包装箱４０を組み立てる際、折目線を介して折り畳まれ、３層構造を構成するようになっている。
【００３０】
前記上板４６の両側には、蓋側板５５ａ，ｂが折目線を介して連設されている。この蓋側板５５ａ，ｂの一端には、内ヒレ片５６ａ，ｂがそれぞれ折目線７０ａ，ｂを介して設けられている。この内ヒレ片５６ａ，ｂには、前記内ヒレ片５６ａ，ｂ下端に一端を有し、前記折目線７０ａ，ｂに他端を有する第１折目線７ａ，ｂと、前記内ヒレ片５６ａ，ｂ上端に一端を有し、前記折目線７０ａ，ｂに他端を有する第２折目線８ａ，ｂとが形成されている。この第１折目線７ａ，ｂと第２折目線８ａ，ｂとは、それぞれ前記折目線７０ａ，ｂ上の交点９ａ，ｂにおいて互いに交わっている。また、前記蓋側板５５ａ，ｂには、前記交点９ａ，ｂに一端を有し、蓋側板５５ａ，ｂ上端に他端を有する第３折目線１０ａ，ｂがそれぞれ形成されている。
【００３１】
前記蓋体内端板４９の中央部には、蓋体内端板４９下端から蓋体内端板４９上端に向かう折目線１３ａが形成されている。また、蓋体内端板４９の両側は、下端に向かって幅広に形成されている。また、前記蓋体外端板４７、頂板４８および蓋体内端板４９の中央近傍に、係止穴５７が形成されている。
【００３２】
この包装箱４０の組み立て作業は、図８に示すように、外端板４３ｂを垂直方向に立ち上げることにより包装箱４０の端壁（他方の端壁）を形成するとともに、折畳み片４２ａ，ｂを垂直方向に立ち上げる。このとき、折畳み片４２ｃ，ｅおよび折畳み片４２ｄ，ｆは、折畳み片４２ａ，ｂと重ね合わされるようにそれぞれ折り畳まれ、３層構造を形成する。次に、矢印Ｄで示すように、内端板４５を折り返して外端板４３ａと重ね合わせる。続いて、矢印Ｅで示すように、外側板５０ａ，ｂおよび内側板５２ａ，ｂを垂直方向に立ち上げる。この状態で、図９の矢印Ｆで示すように、外端板４３ａおよび内端板４５を垂直方向に立ち上げることにより、包装箱４０の額縁構造を有する端壁（一方の端壁）を形成するとともに、包装箱４０の額縁構造を有する側壁が形成される。このとき、外側板５０ａと内側板５２ａの間および外側板５０ｂと内側板５２ｂの間に、前述したように折り畳まれた内ヒレ片を構成する折畳み片４２ａ，ｃ，ｅおよび折畳み片４２ｂ，ｄ，ｆが挿入される。
【００３３】
一方、図８の矢印Ｇで示すように、蓋側板５５ａ，ｂを立ち上げ、蓋体の側壁を形成する。次に、内ヒレ片５６ａ，ｂを折目線７０ａ，ｂを介して折り返した状態で、矢印Ｈで示すように、蓋体外端板４７を立ち上げる。続いて、図９において矢印Ｉで示すように、蓋体内端板４９を折り返すことにより、蓋体内端板４９を蓋体外端板４７に沿って配置して額縁構造を有する蓋体の端壁を形成する。このとき、蓋体内端板４９の下端部両側は、幅広に形成されているのでそれぞれ蓋側板５５ａ，ｂ内面により係止される。
【００３４】
そして、包装箱４０の内側にトナーカートリッジを収容した後で、図９において矢印Ｊで示すように、上板４６を水平方向に折り曲げることにより、包装箱４０の封緘が完了する。
【００３５】
ユーザは、包装箱４０内の収容物であるトナーカートリッジを取り出す場合、ユーザの指先を包装箱４０の蓋体の係止穴５７に係合させて包装箱４０の蓋体を上方に持ち上げる。このとき、包装箱４０は、図９の状態になる。次に、ユーザは、ユーザの指先を包装箱４０の端壁の切り欠き部５１ａ，ｂに係合させて、外端板４３ａおよび内端板４５を水平方向に倒す。このとき、外側板５０ａと内側板５２ａの間および外側板５０ｂと内側板５２ｂの間に挿入されていた折畳み片４２ａ，ｃ，ｅおよび折畳み片４２ｂ，ｄ，ｆが露出される。これにより、図１０に示すように、３層に折り畳まれていた折畳み片４２ａ〜ｆがそれぞれ開いた状態になり、折畳み片４２ａ，ｂおよび外端板４３ｂが水平方向に向かって倒れる。これにより、包装箱４０は開封され、ユーザは、図１０において一点鎖線で示すトナーカートリッジの両端を把持することにより包装箱４０から容易に取り出すことができる。また、その結果、ユーザは、包装箱の端壁および側壁を容易に解体することができる。
【００３６】
次に、ユーザは、図１１に示すように、包装箱４０の蓋体の端壁の上部中央部分を外方に向かって押し広げる。このとき、蓋体内端板４９の中央部に折目線１３ａが形成されているので、蓋体の端壁の上部中央部分を外方に向かって押し広げる作業性がよい。
【００３７】
その結果、内ヒレ片５６ａ，ｂは、前記第１実施形態と同様に、内ヒレ片５６ａ，ｂの先端部上端に外方に向かう押圧力が付与されて、内ヒレ片５６ａ，ｂの第１折目線７ａ，ｂが谷折れし、内ヒレ片５６ａ，ｂの第２折目線８ａ，ｂが山折れし、および蓋側板５５ａ，ｂの第３折目線１０ａ，ｂが山折れすることにより捻られる。このとき、交点９ａ，ｂの位置には、折目線７０ａ，ｂ方向に伸張方向を有するスリットまたは穴が形成されているので、内ヒレ片５６ａ，ｂは捻れやすくなっている。以上のように、内ヒレ片５６ａ，ｂが捻られると、内ヒレ片５６ａ，ｂの先端部下端が蓋体内端板４９の下端を蓋体における内方に向かって押し出す。その結果、蓋側板５５ａ，ｂ内面に係止されていた蓋体内端板４９が解放され、ユーザは容易に額縁構造を有する蓋体の端壁を解体することができる。
【００３８】
そして、ユーザは、平面状に展開された包装箱４０を折り畳み、複数の包装箱４０を重ね合わせることにより、前記実施形態と同様に運搬または保管スペースを省くことができる。
【００３９】
【発明の効果】
以上の説明から明らかなように、本発明によれば、端壁内面をなす内端板と端壁外面をなす外端板からなる額縁構造の間に挿入された内ヒレ片に、第１折目線、第２折目線を形成し、また、側壁に、第３折目線を形成したので、包装箱の端壁の上部中央部分を外方に向かって押し広げ、内ヒレ片を第１折目線、第２折目線および第３折目線を介して折り曲げて捻ることにより、容易に額縁構造を解体することができるという効果を奏する。
【００４０】
また、本発明によれば、側壁内面をなす内側板と側壁外面をなす外側板からなる額縁構造の間に挿入された内ヒレ片は、包装箱の底板の両側に連接された第１折畳み片と、他方の端壁の両側に連設された第２折畳み片と、第１折畳み片の第２折畳み片と隣接する側の一端に連接された第３折畳み片とからなり、第２折畳み片と第３折畳み片は、折目線を介して一体であるので、側壁の額縁構造を形成する外板と内板の間に挿入されていた第１、第２および第３折畳み片が露出されると、３層に折り畳まれていた折畳み片がそれぞれ開いた状態になり、第１折畳み片および他方の端壁が水平方向に向かって倒れる。これにより、包装箱を容易に解体することができる。
【図面の簡単な説明】
【図１】本発明の第１実施形態に係る包装箱の展開図。
【図２】図１の包装箱を組み立てた状態を示した斜視図。
【図３】図１の包装箱を組み立てた状態を示した斜視図。
【図４】図１の包装箱の額縁構造を解体する状態を示した拡大斜視図。
【図５】図１の包装箱を折り畳んだ状態を示した斜視図。
【図６】図１の包装箱を平たく折り畳んだ状態を示した斜視図。
【図７】本発明の第２実施形態に係る包装箱の展開図。
【図８】図７の包装箱を組み立てた状態を示した斜視図。
【図９】図７の包装箱を組み立てた状態を示した斜視図。
【図１０】図７の包装箱を開封した状態を示した斜視図。
【図１１】図７の包装箱の額縁構造を解体する状態を示した斜視図。
【符号の説明】
１…包装箱
３ａ，ｂ…側板（側壁）
５ａ…外端板（外板）
６ａ，ｂ…内ヒレ片
７ａ，ｂ…第１折目線
８ａ，ｂ…第２折目線
１０ａ，ｂ…第３折目線
１３…内端板（内板）
【図１】
2004067209.tif 000003
【図２】
2004067209.tif 000004
【図３】
2004067209.tif 000005
【図４】
2004067209.tif 000006
【図５】
2004067209.tif 000007
【図６】
2004067209.tif 000008
【図７】
2004067209.tif 000009
【図８】
2004067209.tif 000010
【図９】
2004067209.tif 000011
【図１０】
2004067209.tif 000012
【図１１】
2004067209.tif 000013